(57)【要約】【課題】  ＣＡＤなどのコストのかかる装置を使用する必要がなく、極めて簡単な方法で、かつ短時間に、採寸対象者の採寸部位の採寸（型取り）を行う。【解決手段】密着性を有する変形可能な採寸用フィルム１を採寸対象者の採寸部位に貼り付けて当該採寸部位の形状に密着させる第１の工程と、採寸部位の形状に密着させた状態で、その表面を粘着テープ２で貼り付けることにより、採寸用フィルム１を採寸部位の形状に保持する第２の工程と、採寸部位の形状に保持した採寸用フィルム１の不要部分を除去することによって、立体的な型紙を作製する第３の工程とからなる。【選択図】  図３
2006169705.tif 000002
【特許請求の範囲】
【請求項１】
密着性を有する変形可能な採寸用フィルムを採寸対象者の採寸部位に貼り付けて当該採寸部位の形状に密着させる第１の工程と、
採寸部位の形状に密着させた状態で、その表面を粘着テープで貼り付けることにより、前記採寸用フィルムを採寸部位の形状に保持する第２の工程と、からなることを特徴とする採寸部位の型取り方法。
【請求項２】
密着性を有する変形可能な採寸用フィルムを採寸対象者の採寸部位に貼り付けて当該採寸部位の形状に密着させる第１の工程と、
採寸部位の形状に密着させた状態で、その表面を粘着テープで貼り付けることにより、前記採寸用フィルムを採寸部位の形状に保持する第２の工程と、
採寸部位の形状に保持した前記採寸用フィルムの不要部分を除去することによって、立体的な型紙を作製する第３の工程と、からなることを特徴とする型紙作製方法。
【請求項３】
前記立体的な型紙の所要部分を切除することによって平面的な裁断用型紙を作製する第４の工程をさらに含むことを特徴とする請求項２に記載の型紙作製方法。
【請求項４】
前記第１の工程は、採寸部位の形状に密着させた状態で、所望の形状に補整する工程を含むことを特徴とする請求項２または請求項３に記載の型紙作製方法。
【発明の詳細な説明】
【技術分野】
【０００１】
本発明は、女性のバスト等の採寸部位を型取りする採寸部位の型取り方法及びその型取り方法を利用した衣服の型紙作製方法に関する。
【背景技術】
【０００２】
従来より、オーダーメードの衣服を作製する場合、型紙の作製に当っては、採寸の専門家が実際に採寸対象者の所要個所（例えば、バストの採寸であれば、トップバスト、アンダーバスト、乳間等の所要個所）の寸法をメジャーで計測し、予め用意されている複数の寸法及び形状の型紙サンプルから近似する形状及び寸法の型紙サンプルを選び、その型紙サンプルを熟練者の手によってさらに採寸対象者の体型に合うように修正して、最終的な型紙を作製していた。
【０００３】
また、最近のアパレル業界では、ＣＡＤを用いた衣服のデザインも行われるようになっており、コンピュータ上で型紙モデルが作成できるようになっている（例えば、特許文献１参照）。
【０００４】
この特許文献１記載の発明は、オペレータの操作指令を受け付ける操作部と、操作部によって入力された情報から、３次元的に表示された人体モデルの表面形状に適合するように仮想的に３次元的に衣服モデルを作成するデザイン部と、デザイン部により表示された衣服モデルを、少なくとも１つの型紙として２次元座標軸上へ展開する２次元展開部と、デザイン部が作成した衣服モデル及び２次元展開部が展開した型紙を表示部に表示させる表示制御部とを備えた構成となっている。
【特許文献１】特開２００４−７０５１９号公報
【発明の開示】
【発明が解決しようとする課題】
【０００５】
上記のように、熟練者が型紙サンプルを採寸対象者の体型に合うように修正する場合、その修正精度は担当する熟練者の熟練度に左右され、必ずしも採寸対象者の気に入るような形にならないといった問題があった。
【０００６】
また、上記特許文献１の装置によれば、初心者であっても、容易に衣装モデルを作成することができる。しかし、この作成された衣装モデルが採寸対象者の体型に本当に合致した衣装モデルであるためには、その前段階で作成される３次元的に表示された人体モデルが、採寸対象者の体型に完全に合致した３次元モデルでなければならない。そして、この３次元モデルは、オペレータによって操作入力された情報（採寸情報）から作成するため、その採寸情報が極めて詳細な個所まで精度良く綿密に計測されていなければならず、結局は採寸する者の熟練度に依存することになる。
【０００７】
また、採寸されなかった部分の寸法は、採寸寸法から補間することになり、実際の採寸対象者の体型通りに寸法を入力することは実質的に不可能である。そのため、特許文献１の装置を使用したとしても、必ずしも採寸対象者の気に入るような形にならないといった問題があった。
【０００８】
特に、最近のブラジャーは補整機能付きのものが多く提供されている。しかし、どの部分をどのように補整するかは、本来、そのブラジャーを装着する被装着者の体型に応じて、かつ、被装着者の希望も考慮してそれぞれ最適となるように補整する必要があるにも係わらず、従来の補整機能付きブラジャーは、個々の体型の違いをあまり考慮せず、一般的に通用するような補整手法（例えば、寄せて上げるような補整手法）が取られており、個々の被装着者の体型や希望を考慮しているとは言えなかった。また、オーダーメードのブラジャーにおいても、採寸を詳細に行うものの、そこからどのように補整していくのかは、採寸対象者との話し合いの中で担当者が経験と勘とによって補整していく場合が多く、結局は、採寸を行う担当者の経験と勘に頼るしかないのが現状であった。
【０００９】
本発明はかかる問題点を解決すべく創案されたもので、その目的は、ＣＡＤなどのコストのかかる装置を使用する必要がなく、極めて簡単な方法で、かつ短時間に、採寸対象者の採寸部位の採寸（具体的には型取り）を行うことのできる採寸部位の型取り方法及び型紙作製方法を提供することにある。
【課題を解決するための手段】
【００１０】
本発明の採寸部位の型取り方法は、密着性を有する変形可能な採寸用フィルムを採寸対象者の採寸部位に貼り付けて当該採寸部位の形状に密着させる第１の工程と、採寸部位の形状に密着させた状態で、その表面を粘着テープで貼り付けることにより、前記採寸用フィルムを採寸部位の形状に保持する第２の工程と、からなることを特徴とする。
【００１１】
本発明によれば、採寸用フィルムを採寸対象者の採寸部位（例えば、バスト等）に直接貼り付けて、その採寸部位の形状となるように密着させる。これにより、平面的な採寸用フィルムは、採寸部位の形状（凹凸形状及び湾曲形状等）に沿って皺になりながら立体的な形に変形する。この後、この採寸部位の形状に密着した立体形状のまま、その表面を粘着テープで貼り付けて、その形状を保持する。これにより、個々の採寸対象者ごとに、採寸部位の正確な型取りを行うことが可能となる。
【００１２】
また、本発明の型紙作製方法は、密着性を有する変形可能な採寸用フィルムを採寸対象者の採寸部位に貼り付けて当該採寸部位の形状に密着させる第１の工程と、採寸部位の形状に密着させた状態で、その表面を粘着テープで貼り付けることにより、前記採寸用フィルムを採寸部位の形状に保持する第２の工程と、採寸部位の形状に保持した前記採寸用フィルムの不要部分を除去することによって、立体的な型紙を作製する第３の工程と、からなることを特徴とする。また、前記立体的な型紙の所要部分を切除することによって平面的な裁断用型紙を作製する第４の工程をさらに含んでいてもよい。これにより、立体的な型紙やこれを展開した平面的な裁断用型紙を簡単に作製することが可能となる。
【００１３】
また、本発明の型紙作製方法によれば、前記第１の工程は、採寸部位の形状に密着させた状態で、所望の形状に補整する工程を含んでいてもよい。つまり、立体的に変形させた採寸用フィルムを、採寸対象者の要望等に応じてさらに変形させ、採寸対象者が納得した状態で保持して、その後、その表面を粘着テープで貼り付けるようにすればよい。これにより、個々の採寸対象者ごとに、その採寸対象者の所望する形状、かつ、最適な形状に補整した採寸部位の型取りを行うことができ、かつ、その型取り部材から最適な型紙を作製することが可能となる。
【発明の効果】
【００１４】
本発明の採寸部位の型取り方法及び型紙作製方法によれば、採寸用フィルムを採寸対象者の採寸部位（例えば、バスト等）に直接貼り付けて、その採寸部位の形状となるように密着させ、この後、この採寸部位の形状に密着した立体形状のまま、その表面を粘着テープで貼り付けて、その形状を保持する方法により、極めて短時間かつ簡単に、個々の採寸対象者ごとに、採寸部位の正確な型取りを行うことができる。また、この型取り部材から、個々の採寸対象者ごとに、最適な型紙を作製することができる。すなわち、オーダーメードによる衣類、特にブラジャー等の肌着の製作に最適な方法を提供することができる。
【発明を実施するための最良の形態】
【００１５】
以下、本発明の実施の形態について、図面を参照して説明する。
【００１６】
図１は、本実施形態の採寸部位の型取り方法及びこの型取り方法を利用した型紙作製方法の手順を説明するための説明図である。なお、本実施形態では、ブラジャーを作製するためのバストの型取り方法及び型紙作製方法について説明する。
【００１７】
本実施形態の採寸部位の型取り方法及び型紙作製方法で使用する部材は、採寸用フィルムと粘着テープのみである。採寸用フィルムとしては、例えばポリオレフィン系樹脂やポリエステル系樹脂、ポリアミド系樹脂等のラップフィルム、及び生分解性樹脂フィルム等の使用が可能である。つまり、一般に市販されているラップフィルムの使用が可能である。また、粘着テープも、一般に市販されている細幅の粘着テープの使用が可能である。
【００１８】
まず最初に、図１に示すように、採寸対象者の採寸部位（この例ではバスト部）３よりやや大きめに切断した採寸用フィルム１を、採寸対象者の採寸部位３に対峙させ、図２に示すように、対峙させた採寸用フィルム１を直接バストに押し当てるようにして貼り付けて、その採寸部位３の形状となるように密着させる。これにより、平面的な採寸用フィルム１は、図２に示すように、採寸部位３の形状（凹凸形状及び湾曲形状等）に沿って皺になりながら立体的な形に変形する。
【００１９】
この際、必要に応じてバストの形を整えるように、採寸用フィルム１を押さえたままバストの形を補整してもよい。例えば、採寸対象者がバストアップを希望する場合には、必要に応じて、バストを寄せて上げるように補整してもよい。採寸用フィルム１は、この実際の補整動作に従って変形することになる。
【００２０】
この後、図３に示すように、この採寸部位３の形状に密着した立体形状のまま、採寸用フィルム１の表面を、適当な長さに切断した何本もの粘着テープ２，２・・・で何重にも貼り付ける。つまり、皺の部分が開かないようにする。この場合、粘着テープ２，２・・・は、軟らかい採寸用フィルムの形状を固定、保持する目的で使用するものであるから、採寸対象者の採寸部位（バスト）３から離したときに型崩れないように、採寸用フィルム１の表面全体に貼り付けるのが良い。場合によっては、何重にも貼り付けてもよい。また、その貼り付け方法も、図３に一例を示すように、縦方向、横方向、斜め方向等、その凹凸形状や湾曲形状に合わせて種々の方向から貼り付けるのが良い。
【００２１】
これにより、個々の採寸対象者ごとに、その採寸対象者の所望する形状、かつ、最適な形状に補整した採寸部位（バスト）３の正確な型取りを行うことができる。この後、型取り後の採寸用フィルム１をバストから離すと、図４に示すように、採寸用フィルム１は、その型取り通りの形を保った状態でバストから取り外される。
【００２２】
この後、図５に示すように、採寸部位（バスト）の形状に保持した採寸用フィルム１の不要部分を除去（図中、二点鎖線で示す）することによって、立体的な型紙を作製することができ、さらに、この立体的な型紙を切り開くことによって、平面的な裁断用型紙を簡単に作製することができる。
【００２３】
このように、本発明の採寸部位の型取り方法及びこの型取り方法を利用した型紙作製方法によれば、採寸用フィルムと粘着テープのみを使用することで、極めて短時間かつ簡単に、個々の採寸対象者ごとに、採寸部位の正確な型取りを行うことができ、また、この型取り部材から、個々の採寸対象者ごとに、最適な型紙を作製することができるものである。
【００２４】
このように、本実施形態によれば、採寸対象者である顧客一人一人の理想とするバスト形状に補整、造形したブラジャーを作製することができ、完璧な着用感を得ることができる。また、正確な型紙が短時間で作製できるため、従来の方法に比べて製作コストを大幅に低減できるとともに、作製時間も大幅に短縮できるものである。
【００２５】
なお、上記実施形態では、採寸部位としてバストを例に上げているが、この部位に限定されるものではなく、体の部位であればどの部位（例えば、ウエストやヒップ等）であっても、本発明の採寸部位の型取り方法及びこの型取り方法を利用した型紙作製方法を適用することが可能である。
【図面の簡単な説明】
【００２６】
【図１】本発明の採寸部位の型取り方法及びこの型取り方法を利用した型紙作製方法の手順を説明するための説明図である。
【図２】本発明の採寸部位の型取り方法及びこの型取り方法を利用した型紙作製方法の手順を説明するための説明図である。
【図３】本発明の採寸部位の型取り方法及びこの型取り方法を利用した型紙作製方法の手順を説明するための説明図である。
【図４】本発明の採寸部位の型取り方法及びこの型取り方法を利用した型紙作製方法の手順を説明するための説明図である。
【図５】本発明の採寸部位の型取り方法及びこの型取り方法を利用した型紙作製方法の手順を説明するための説明図である。
【図６】本発明の採寸部位の型取り方法及びこの型取り方法を利用した型紙作製方法の手順を説明するための説明図である。
【符号の説明】
【００２７】
１  採寸用フィルム
２  粘着テープ
３  採寸部位（バスト）
【図１】
2006169705.tif 000003
【図２】
2006169705.tif 000004
【図３】
2006169705.tif 000005
【図４】
2006169705.tif 000006
【図５】
2006169705.tif 000007
【図６】
2006169705.tif 000008